(57)【要約】【課題】  画像形成装置の設置場所に応じて、排気口からの排気方向を容易に変更する。【解決手段】  実施形態の画像形成装置は、筐体の配置位置に応じて、カバーを、筐体のポケット位置或いはダクト穴周囲にねじ留めする。ダクト穴周囲では、カバーの取り付け方向を変えて、ダクト穴からの排気及び騒音の向きを変更する。【選択図】図１
2011227471.tif 000002
【特許請求の範囲】
【請求項１】
排気口を備える筐体と、
前記筐体に着脱するポケット兼用ダクトと、
前記ポケット兼用ダクトの取り付け部とを具備する画像形成装置。
【請求項２】
前記ポケット兼用ダクトは、前記筐体のポケット位置或いは前記排気口に着脱可能である請求項１記載の画像形成装置。
【請求項３】
前記ポケット兼用ダクトは、前記排気口において取り付け方向を変えることにより前記排気口からの排気方向を変更する請求項１又は請求項２記載の画像形成装置。
【請求項４】
前記取り付け部が、前記排気口周囲及び前記筐体のポケット位置の正方形の四隅に配置される請求項１乃至請求項３のいずれか記載の画像形成装置。
【請求項５】
着脱可能なポケット兼用ダクトを、筐体の排気口に取り付ける工程を具備することを特徴とする画像形成装置の排気方向を変更する方法。
【請求項６】
前記ポケット兼用ダクトを、前記筐体のポケット位置から外して、前記排気口に取り付ける請求項５記載の画像形成装置の排気方向を変更する方法。
【請求項７】
前記排気口において、前記ポケット兼用ダクトの取り付け方向を変えて、前記排気口からの排気方向を変更する請求項５又は請求項６のいずれか記載の画像形成装置の排気方向を変更する方法。
【発明の詳細な説明】
【技術分野】
【０００１】
発明の実施形態は、複写機やプリンタ等が発生する排気及び騒音を規制する画像形成装置及び画像形成装置の排気方向を変更する方法に関する。
【背景技術】
【０００２】
従来画像形成装置の運転時に生じる騒音を低減する専用の外部ダクトを画像形成装置の排気口外部に設ける装置がある（例えば特許文献１参照）。他方ユーザからは、画像形成装置を部屋の何処に設置するかによって、排気口からの排気方向更には騒音の聞こえる方向を変更したいという要望がある。
【先行技術文献】
【特許文献】
【０００３】
【特許文献１】特開平１０−３４００３７号公報
【発明の概要】
【発明が解決しようとする課題】
【０００４】
この発明は、画像形成装置の使用形態或いは設置位置等に応じて、画像形成装置の運転時に生じる排気の方向を容易に変更し、或いは騒音を低減して、良好な環境を得る画像形成装置及び画像形成装置の排気方向を変更する方法を提供することである。
【課題を解決するための手段】
【０００５】
上記課題を達成するために、実施形態の画像形成装置は、排気口を備える筐体と、筐体に着脱するポケット兼用ダクトと、ポケット兼用ダクトの取り付け部とを備える。
【図面の簡単な説明】
【０００６】
【図１】第１の実施形態のポケット位置にカバーを取り付けたプリンタの背面を示す概略斜視図。
【図２】第１の実施形態のカバーの背面を示す概略斜視図。
【図３】第１の実施形態の他の例のカバーの背面を示す概略斜視図。
【図４】第１の実施形態のダクト穴に開口を下向きにしてカバーを取り付けた、プリンタの背面を示す概略斜視図。
【図５】第１の実施形態のダクト穴に開口を左向きにしてカバーを取り付けた、プリンタの背面を示す概略斜視図。
【図６】第１の実施形態のダクト穴に開口を右向きにしてカバーを取り付けた、プリンタの背面を示す概略斜視図。
【図７】第１の実施形態の粘着テープで着脱するカバーの背面を示す概略斜視図。
【図８】第１の実施形態の嵌め込み式で着脱するカバーの背面を示す概略斜視図。
【図９】第２の実施形態のカバーの背面を示す概略斜視図。
【図１０】第２の実施形態のダクト穴に開口を下向きにしてカバーを取り付けた、プリンタの背面を示す概略斜視図。
【発明を実施するための形態】
【０００７】
以下実施形態について説明する。
【０００８】
（第１の実施形態）
図１は第１の実施形態の画像形成装置であるプリンタ１を背面から見た概略斜視図である。プリンタ１は筐体背面１０ａに、排気口であるダクト穴１２を備える。プリンタ１は、筐体背面１０ａのポケット位置に、ポケット兼用ダクトであるカバー１４を着脱可能に備える。
【０００９】
図２に示すように、カバー１４は、ねじ穴１５ａを有する４個の台座１５を備える。４個のねじ穴１５ａは、正方形の４隅となるように配置される。カバー１４は、例えばプラスチック製であり、台座１５と一体形成される。カバー１４は、筐体１０への取り付け側に、導通部である切り欠き部１８を備え、ダクト穴１２側に取り付けたときに、ダクト穴１２からの排気をカバー１４内に導通する。カバー１４の形状は限定されず、例えば図３の他の例に示すように、カバー２４の裏面の切り欠き部２８を穴状に形成しても良い。
【００１０】
カバー１４は、筐体背面１０ａのポケット位置で、ねじ１７によりカバー１４の台座１５を、筐体１０に形成したねじ穴１６にねじ留めする。筐体背面１０ａのダクト穴１２の周囲には、ポケット位置のねじ穴と同じ配置のねじ穴２０が形成される。ねじ穴１５ａ、１６と２０及び、ねじ１７は、取り付け部であるねじ装置１９を形成する。
【００１１】
筐体背面１０ａのポケット位置では、カバー１４は、開口部２１が上を向くように取り付けられる。ポケット位置に取り付けられたカバー１４には、必要に応じて、取り扱い説明書或いは、メンテナンス記録等を入れる。
【００１２】
プリンタ１は、筐体１０内部の例えば露光部や定着部で発生する熱を除去するため、筐体１０内部の空気をダクト穴１２から外部に排気する。更にダクト穴１２からは、空気と共に、筐体１０内部の駆動音が漏れる。このためオフィス内にプリンタ１を設置した時に、設置位置によっては、オフィス内の環境を良くするためにダクト穴１２からの空気の排気方向を変更し、騒音を低減する必要を生じる。
【００１３】
例えばプリンタ１を、オフィス内のデスクから少し離れた場所に設置する場合は、ダクト穴１２からの排気及び騒音のいずれも、あまり気にならない。したがって、カバー１４は、筐体背面１０ａのポケット位置に取り付けて、資料を入れるポケットとして機能する。このときダクト穴１２は開放されていて、プリンタ１からの排気及び騒音は、四方に分散する。
【００１４】
他方例えばプリンタ１を、オフィス内のデスクの近くに設置する場合は、ダクト穴１２からの排気及び騒音をデスク方向に向けないように配慮する必要を生じる。このため例えばプリンタ１を設置する時に、カバー１４をポケット位置からダクト穴１２に付替えて、プリンタ１からの排気及び騒音を望ましい方向に向ける。カバー１４の付替えは、ねじ穴１６からねじ１７を外して、ポケット位置からはずしたカバー１４を、ダクト穴１２の周囲のねじ穴２０にねじ留めする。ダクト穴１２からの排気及び騒音は、切り欠き部１８を通過後、カバー１４の内壁に沿って方向を変えられて、開口部２１から排出される。
【００１５】
例えばプリンタ１の筐体背面１０ａ側にデスクが有る場合は、図４に示すように、カバー１４の開口部２１を矢印ｘ方向である下方向に向ける。これにより、プリンタ１からの排気及び騒音は直接デスク方向に排出されない。カバー１４によりデスク周辺の騒音の低減を得られる。
【００１６】
例えば、プリンタ１をデスクの近くであっても壁際の隅に設置する場合は、図５に示すように、カバー１４の開口部２１を矢印ｙ方向である左方向に向け、或いは図６に示すように、カバー１４の開口部２１を矢印ｚ方向である右方向に向けても良い。カバー１４の開口を左右のいずれに向けるかは例えば側面の壁の向きによって選択する。カバー１４を任意の向きで、ダクト穴１２周囲にねじ留めすることにより、プリンタ１から排出される排気及び騒音の向きをユーザの要望する方向に容易に変更でき、騒音の低減を得られる。
【００１７】
カバー１４の取り付け部は、ねじ装置１９に替えて粘着テープを用いても良い。例えば図７に示すように、カバー１４の切り欠き部１８周囲に、繰り返し着脱可能な粘着テープ２２を取着する。要望に応じて、カバー１４の粘着テープ２２をポケット位置からはがして、カバー１４を筐体１０から外す。外したカバー１４を、ダクト穴１２周囲で所望の向きに設定して粘着テープ２２で貼り、ダクト穴１２の排気及び騒音の方向を換える。
【００１８】
更にカバー１４の取り付け部材は、嵌め込み式にしても良い。例えば筐体背面１０ａのねじ穴１６、及びねじ穴２０の位置に、ウレタン等の弾性からなる穴あきのワッシャ２６を取着する。図８に示すように、ワッシャ２６の穴と嵌まり合うボス２３をカバー１４と一体形成する。要望に応じて、ポケット位置のワッシャ２６からカバー１４のボス２３を引き抜いて、カバー１４を筐体１０から外す。外したカバー１４を、ダクト穴１２周囲で所望の向きに設定して、ワッシャ２６に、カバー１４のボス２３を嵌めて、ダクト穴１２にカバーを取り付ける。
【００１９】
第１の実施形態によると、ユーザの要望により、ポケット位置から外したカバー１４を、カバー１４の開口部２１の向きを選択してダクト穴１２の周囲にねじ留めする。カバー１４を付替えるのみで、ダクト穴１２からの排気及び騒音の方向を容易に変更できる。プリンタ１の使用環境に応じて、オフィス内に適した環境設定を容易に得られ騒音の低減を得られる。
【００２０】
更にカバー１４の取り付け部を粘着テープ或いは嵌め込み式にすれば、ねじ１７を着脱する工具を使用しなくても、ダクト穴１２からの排気及び騒音の方向を容易に変更できる。
【００２１】
（第２の実施形態）
次に第２の実施形態について説明する。第２の実施形態は上述した第１の実施形態と、カバーの形状が異なる。第２の実施形態にあっては、前述の第１の実施形態で説明した構成と同一構成については同一符号を付して詳細な説明を省略する。第２の実施形態では、カバーを筐体に取着した時に、カバーにダクト機能とポケット機能の両方の機能を持たせるものである。
【００２２】
第２の実施形態では、ポケット兼用ダクトとして、図９に示すカバー３０を用いる。カバー３０は、ほぼ中央の仕切り３０ａを挟んで、ポケット３１と、ダクト３２を備える。カバー３０のダクト３２は、ねじ穴３４ａを有する４個の台座３４を備える。４個のねじ穴３４ａは、正方形の４隅となるように配置される。カバー３０は、プラスチック製であり、台座３４と一体形成される。カバー３０は、筐体１０への取り付け側に、導通部である切り欠き部３６を備える。
【００２３】
ねじ１７は、図１０に示すように、カバー３０の台座３４を、筐体背面１０ａのダクト穴１２の周囲のねじ穴２０にねじ留めする。カバー３０は、ダクト３２のダクト開口３２ａを矢印ｘ方向の下方向（床方向）に向けると、ポケット３１のポケット開口３１ａが上を向く。ダクト穴１２に取り付けられたカバー３０には、必要に応じて資料を入れる。
【００２４】
プリンタ１の駆動により生じる筐体１０内部の熱や騒音は、ダクト穴１２から切り欠き部３６を通過後、ダクト３２の内壁に沿って、排出方向が下方向（床方向）に変わる。
【００２５】
カバー３０をダクト穴１２の周囲に取り付けることにより、例えばプリンタ１を、オフィス内のデスクの近くに設置する場合であっても、プリンタ１からの排気及び騒音は直接デスク方向に向かない。カバー３０は、デスク周辺の騒音を低減する。またカバー３０は、排気及び騒音を下方向（床方向）に向けた時に、ポケット３１に資料を入れることが出来る。
【００２６】
またオフィス環境により、カバー３０のダクト開口３２ａを左方向あるいは右方向に向けたいという要望を生じた時は、ダクト穴１２の周囲のねじ穴２０からねじ１７を外して、一旦カバー３０を、筐体背面１０ａから外す。筐体背面１０ａから外したカバー３０の方向を変えて、ダクト穴１２の周囲のねじ穴２０に、再度カバー３０をねじ留めする。ダクト穴１２からの排気及び騒音の排出方向は、切り欠き部３６を通過後、カバー３０の内壁に沿って、筐体１０の左方向或いは右方向に変わる。要望に応じてカバー３０の開口を左右のいずれに向けるかを選択して、排気及び騒音の排出方向を容易に変更でき、騒音を低減し、良好な環境を得られる。
【００２７】
尚プリンタ１を、例えばデスクから離れた位置に配置する時は、ダクト穴１２周囲にカバー３０を取り付けなくてもよい。また、カバー３０をポケット機能専用に使用する場合は、カバー３０はプリンタ１の上方に配置していたほうが、使い勝手が良い。従って、カバー３０をポケット機能専用に使用する場合は、カバー３０は、ポケット開口３１ａを上向きにして、筐体背面１０ａの上方にあるポケット位置のねじ穴１６に取り付ける。
【００２８】
第２の実施形態によると、カバー３０のダクト３２の開口部３２ａの向きを矢印ｘ方向の下方向（床方向）に向けて、騒音を低減するときには、ポケット３１に資料を入れることが出来る。カバー３０は、ダクト穴１２からの排気及び騒音の方向を変更する機能と、ポケット機能の両方の機能を備えられる。更にユーザ等の要望により、カバー３０の取り付け方向を変えるのみで、ダクト３２の開口部３２ａの向きを変えて、ダクト穴１２からの排気及び騒音の方向を容易に変更できる。プリンタ１の使用環境に応じて、オフィス内に適した環境設定を容易に得られ騒音の低減を得られる。
【００２９】
上記少なくとも１つの実施形態によると、プリンタの使用環境に応じて、ポケット兼用ダクトを筐体から外して、再度筐体に付替えることにより、オフィス内に適した環境設定を容易に得られオフィス内の騒音の低減を容易に得られる。
【００３０】
この発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことが出来る。この実施形態やその変形は、発明の範囲や要旨に含まれるとともに、特許請求の範囲に記載された発明とその均等の範囲に含まれる。
【符号の説明】
【００３１】
１…プリンタ
１０ａ…筐体背面
１２…ダクト穴
１４…カバー
１５…台座
１５ａ、１６、２０…ねじ穴
１７…ねじ
１９…ねじ装置
２１…開口部
【図１】
2011227471.tif 000003
【図２】
2011227471.tif 000004
【図３】
2011227471.tif 000005
【図４】
2011227471.tif 000006
【図５】
2011227471.tif 000007
【図６】
2011227471.tif 000008
【図７】
2011227471.tif 000009
【図８】
2011227471.tif 000010
【図９】
2011227471.tif 000011
【図１０】
2011227471.tif 000012